(57)【要約】【課題】内線移動端末の機種が異なっても、他局の構内交換機に収容された内線移動端末間であっても文字メッセージサービスが受けられる利便性ならびにシステムの拡張性に優れた構内文字メッセージシステムを提供する。【解決手段】自局の構内交換機２と、構内交換機２にＩＳＤＮ回線Ｌｓを介して接続する文字メッセージ・ゲートウェイ３と、構内交換機２に内線Ｌ１１〜Ｌ１ｎを介して接続する無線基地局４Ｓ１〜４Ｓｎと、無線基地局４Ｓ１〜４Ｓｎと無線接続する内線移動端末ＰＳ１１〜ＰＳ１ｎ，ＰＳａと、構内交換機２とディジタル専用線ＬＤ１を介して接続するディジタル中継線網ＮＴとから構成する。【選択図】  図１
2004312415.tif 000002
【特許請求の範囲】
【請求項１】
文字メッセージ通信機能を有する内線移動端末と、前記内線移動端末と無線接続する無線基地局と、構内交換機と、文字メッセージ・ゲートウェイと、を備えた構内文字メッセージシステムであって、
前記構内交換機は、前記内線移動端末の送信先内線番号毎に文字メッセージ通信仕様を管理する前記文字メッセージ・ゲートウェイと連携し、前記送信先内線移動端末が異機種でも、前記文字メッセージ・ゲートウェイから受信した呼設定情報を全無線基地局に送信し、前記文字メッセージ・ゲートウェイを介して内線移動端末相互間を接続することを特徴とする構内文字メッセージシステム。
【請求項２】
前記構内交換機は、前記無線基地局と接続する無線基地局インタフェース、前記文字メッセージ・ゲートウェイと接続するＩＳＤＮインタフェース、他局の構内交換機とディジタル中継網を介して接続するディジタル専用線インタフェース、前記内線移動端末毎の移動端末番号、移動端末識別情報、位置登録情報、自構内交換機の内局データを記憶する記憶装置、通話路を形成する通話路スイッチ、構内交換機全体の動作を制御する制御装置を備えたことを特徴とする請求項１記載の構内文字メッセージシステム。
【請求項３】
前記文字メッセージ・ゲートウェイは、前記内線移動端末に対応した文字メッセージ通信仕様を記憶する文字メッセージ記憶手段、前記文字メッセージ記憶手段に記憶された文字メッセージ通信仕様に基づいて呼設定情報を編集し、送信する送信管理手段、ゲートウェイ全体の動作を制御する文字メッセージ制御手段を備えたことを特徴とする請求項１記載の構内文字メッセージシステム。
【請求項４】
前記構内交換機は、前記送信先内線移動端末がディジタル中継線網に接続された前記他局の構内交換機に位置登録されている状態で、内局データの文字メッセージ透過条件が透過可の場合には、前記文字メッセージ・ゲートウェイから受信した呼設定情報をそのまま前記他局の構内交換機に送信することを特徴とする請求項２記載の構内文字メッセージシステム。
【請求項５】
前記構内交換機は、前記送信先内線移動端末が前記他局へローミング中の状態で、内局データの文字メッセージ透過条件が透過可の場合には、前記文字メッセージ・ゲートウェイから受信した呼設定情報をそのまま前記他局の構内交換機に送信することを特徴とする請求項２記載の構内文字メッセージシステム。
【請求項６】
前記構内交換機は、送信先内線移動端末が他局より移動してきているローミング中の場合、前記文字メッセージ・ゲートウェイから受信した呼設定情報を全無線基地局に送信することを特徴とする請求項２記載の構内文字メッセージシステム。
【請求項７】
前記内線移動端末は、音声系の転送が設定されている状態でも、文字メッセージが着信した場合には、文字メッセージを受信することを特徴とする請求項１記載の構内文字メッセージシステム。
【請求項８】
前記内線移動端末は、音声系の着信拒否、不在案内等の各種拒否が設定されている状態でも、文字メッセージが着信した場合には、文字メッセージを受信することを特徴とする請求項１記載の構内文字メッセージシステム。
【請求項９】
前記内線移動端末は、代理応答が設定されている状態でも、文字メッセージが着信した場合には、他の内線移動端末による文字メッセージの代理応答を禁止することを特徴とする請求項１記載の構内文字メッセージシステム。
【発明の詳細な説明】
【０００１】
【発明の属する技術分野】
本発明は構内交換機に収容された同一機種の内線移動端末相互間および異なる機種の内線移動端末相互間の文字メッセージ通信、他の構内交換機に収容された内線移動端末との文字メッセージ通信が可能な構内文字メッセージシステムに関する。
【０００２】
【従来の技術】
従来の構内文字メッセージシステムにおいて、同一構内交換機に収容された同一機種の内線移動端末相互間で文字メッセージの送受信が可能なものが知られている。
【０００３】
しかし、内線移動端末相互間、特に異なる機種の内線移動端末相互間で文字メッセージのサービスが可能なもの、または他の構内交換機に収容された内線移動端末との間で文字メッセージのサービスが可能なものについて、特許文献（特許公開公報等）を検索したが、見当たらない状況にある。
【０００４】
【発明が解決しようとする課題】
従来の構内文字メッセージシステムは、同一構内交換機に収容された同一機種の内線移動端末相互間で文字メッセージサービスが提供されているが、他の構内交換機に亘っての文字メッセージサービスや、異なる内線移動端末相互間で文字メッセージサービスが提供されておらず、文字メッセージサービスの利便性に欠ける課題がある。
【０００５】
また、従来の構内文字メッセージシステムは、内線移動端末として新機種が次々に提供される状況にあるが、機種が異なると適用することができなく、拡張性に劣る課題もある。
【０００６】
この発明はこのような課題を解決するためになされたもので、その目的は内線移動端末の機種が異なっても、他局の構内交換機に収容された内線移動端末間であっても文字メッセージサービスが受けられる利便性ならびにシステムの拡張性に優れた構内文字メッセージシステムを提供することにある。
【０００７】
【課題を解決するための手段】
前記課題を解決するためこの発明に係る構内文字メッセージシステムは、文字メッセージ通信機能を有する内線移動端末と、内線移動端末と無線接続する無線基地局と、構内交換機と、文字メッセージ・ゲートウェイとを備えた構内文字メッセージシステムであって、構内交換機は、内線移動端末の送信先内線番号毎に文字メッセージ通信仕様を管理する文字メッセージ・ゲートウェイと連携し、送信先内線移動端末が異機種でも、文字メッセージ・ゲートウェイから受信した呼設定情報を全無線基地局に送信し、文字メッセージ・ゲートウェイを介して内線移動端末相互間を接続することを特徴とする。
【０００８】
この発明に係る構内文字メッセージシステムは、文字メッセージ通信機能を有する内線移動端末と、内線移動端末と無線接続する無線基地局と、構内交換機と、文字メッセージ・ゲートウェイとを備えた構内文字メッセージシステムであって、構内交換機は、内線移動端末の送信先内線番号毎に文字メッセージ通信仕様を管理する文字メッセージ・ゲートウェイと連携し、送信先内線移動端末が異機種でも、文字メッセージ・ゲートウェイから受信した呼設定情報を全無線基地局に送信し、文字メッセージ・ゲートウェイを介して内線移動端末相互間を接続するので、送信先内線移動端末と一致する文字メッセージ通信仕様の呼設定情報で送信先内線移動端末と接続し、異なる機種の内線移動端末相互間で文字メッセージの送受信を実行することができ、利便性の向上ならびにシステムの拡張性を実現することができる。
【０００９】
また、この発明に係る構内交換機は、無線基地局と接続する無線基地局インタフェース、文字メッセージ・ゲートウェイと接続するＩＳＤＮインタフェース、他局の構内交換機とディジタル中継網を介して接続するディジタル専用線インタフェース、内線移動端末毎の移動端末番号、移動端末識別情報、位置登録情報、自構内交換機の内局データを記憶する記憶装置、通話路を形成する通話路スイッチ、構内交換機全体の動作を制御する制御装置を備えたことを特徴とする。
【００１０】
この発明に係る構内交換機は、無線基地局と接続する無線基地局インタフェース、文字メッセージ・ゲートウェイと接続するＩＳＤＮインタフェース、他局の構内交換機とディジタル中継網を介して接続するディジタル専用線インタフェース、内線移動端末毎の移動端末番号、移動端末識別情報、位置登録情報、自構内交換機の内局データを記憶する記憶装置、通話路を形成する通話路スイッチ、構内交換機全体の動作を制御する制御装置を備えたので、文字メッセージ・ゲートウェイと連携して呼設定情報で自局内および他局の同一機種または異なる機種の送信先内線形態端末に接続し、文字メッセージサービスを提供することができ、利便性の向上を図ることができる。
【００１１】
さらに、この発明に係る文字メッセージ・ゲートウェイは、内線移動端末に対応した文字メッセージ通信仕様を記憶する文字メッセージ記憶手段、文字メッセージ記憶手段に記憶された文字メッセージ通信仕様に基づいて呼設定情報を編集し、送信する送信管理手段、ゲートウェイ全体の動作を制御する文字メッセージ制御手段を備えたことを特徴とする。
【００１２】
この発明に係る文字メッセージ・ゲートウェイは、内線移動端末に対応した文字メッセージ通信仕様を記憶する文字メッセージ記憶手段、文字メッセージ記憶手段に記憶された文字メッセージ通信仕様に基づいて呼設定情報を編集し、送信する送信管理手段、ゲートウェイ全体の動作を制御する文字メッセージ制御手段を備えたので、送信先内線移動端末に対応した文字メッセージ通信仕様に基づいた呼設定情報を送信することにより、送信元内線移動端末と送信先内線移動端末を結びつけることができ、同一機種または異なる機種相互の内線移動端末を接続して文字メッセージ通信を実行することができる。
【００１３】
また、この発明に係る構内交換機は、送信先内線移動端末がディジタル中継線網に接続された他局の構内交換機に位置登録されている状態で、内局データの文字メッセージ透過条件が透過可の場合には、文字メッセージ・ゲートウェイから受信した呼設定情報をそのまま他局の構内交換機に送信することを特徴とする。
【００１４】
この発明に係る構内交換機は、送信先内線移動端末がディジタル中継線網に接続された他局の構内交換機に位置登録されている状態で、内局データの文字メッセージ透過条件が透過可の場合には、文字メッセージ・ゲートウェイから受信した呼設定情報をそのまま他局の構内交換機に送信するので、他局の構内交換機の内線移動端末に文字メッセージを送信することができ、システムの拡張を図ることができる。
【００１５】
さらに、この発明に係る構内交換機は、送信先内線移動端末が他局へローミング中の状態で、内局データの文字メッセージ透過条件が透過可の場合には、文字メッセージ・ゲートウェイから受信した呼設定情報をそのまま他局の構内交換機に送信することを特徴とする。
【００１６】
この発明に係る構内交換機は、送信先内線移動端末が他局へローミング中の状態で、内局データの文字メッセージ透過条件が透過可の場合には、文字メッセージ・ゲートウェイから受信した呼設定情報をそのまま他局の構内交換機に送信するので、自局の内線移動端末が他局に移動しても文字メッセージを送信することができ、他局の構内交換機を中継して文字メッセージの送信範囲を広げることができる。
【００１７】
また、この発明に係る構内交換機は、送信先内線移動端末が他局より移動してきているローミング中の場合、文字メッセージ・ゲートウェイから受信した呼設定情報を全無線基地局に送信することを特徴とする。
【００１８】
この発明に係る構内交換機は、送信先内線移動端末が他局より移動してきているローミング中の場合、文字メッセージ・ゲートウェイから受信した呼設定情報を全無線基地局に送信するので、他局に属する内線無線端末を自局に属する内線無線端末として文字メッセージを送信することができ、使い勝手の良さをアピールすることができる。
【００１９】
さらに、この発明に係る内線移動端末は、音声系の転送が設定されている状態でも、文字メッセージが着信した場合には、文字メッセージを受信することを特徴とする。
【００２０】
また、この発明に係る内線移動端末は、音声系の着信拒否、不在案内等の各種拒否が設定されている状態でも、文字メッセージが着信した場合には、文字メッセージを受信することを特徴とする。
【００２１】
この発明に係る内線移動端末は、音声系の転送が設定されている状態あるいは音声系の着信拒否、不在案内等の各種拒否が設定されている状態でも、文字メッセージが着信した場合には、文字メッセージを受信するので、文字メセージの性格から内線移動端末の利用者のプライバシーを保護することができ、利便性ならびに守秘性をアピールすることができる。
【００２２】
さらに、この発明に係る内線移動端末は、代理応答が設定されている状態でも、文字メッセージを着信した場合には、他の内線移動端末による文字メッセージの代理応答を禁止することを特徴とする。
【００２３】
この発明に係る内線移動端末は、代理応答が設定されている状態でも、文字メッセージが着信した場合には、他の内線移動端末による文字メッセージの代理応答を禁止するので、内線移動端末の利用者のプライバシーを保護することができ、利便性ならびに守秘性をアピールすることができる。
【００２４】
【発明の実施の形態】
以下、この発明の実施の形態を添付図面に基づいて説明する。なお、本発明は自局の構内交換機に収容される同一機種および異なる機種の内線移動端末相互間での構内文字メッセージ通信が可能となるとともに、自局の構内交換機に収容される内線移動端末と他局の構内交換機に収容される内線移動端末との間でも自局構内と同様に構内文字メッセージ通信が可能となるものである。
【００２５】
図１はこの発明に係る構内文字メッセージシステムの一実施の形態ブロック構成図である。図１において、構内文字メッセージシステム１は、自局の構内交換機２と、構内交換機２にＩＳＤＮ回線Ｌｓを介して接続する文字メッセージ・ゲートウェイ３と、構内交換機２に内線Ｌ１１〜Ｌ１ｎを介して接続する無線基地局４Ｓ１〜４Ｓｎと、無線基地局４Ｓ１〜４Ｓｎと無線接続する内線移動端末ＰＳ１１〜ＰＳ１ｎ，ＰＳａと、構内交換機２とディジタル専用線ＬＤ１を介して接続するディジタル中継線網ＮＴとから構成する。
【００２６】
また、構内文字メッセージシステム１は、ディジタル中継線網ＮＴとディジタル専用線ＬＤ２を介して接続する他局の構内交換機５と、構内交換機５と内線Ｌ２１〜Ｌ２ｋを介して接続する無線基地局６Ｓ１〜６Ｓｋと、無線基地局６Ｓ１〜６Ｓｋと無線接続する内線移動端末ＰＳ２１〜ＰＳ２ｋ，ＰＳｂとを備え、他局の構内交換機５は、ディジタル専用線ＬＤ２、ディジタル中継線網ＮＴ、ディジタル専用線ＬＤ１を介して自局の構内交換機２に接続する。
【００２７】
自局の構内交換機２は、無線基地局４Ｓ１〜４Ｓｎと内線移動端末ＰＳ１１〜ＰＳ１ｎ，ＰＳａとの無線通信範囲である自局ゾーンＺ１を備える。一方、他局の構内交換機５は、無線基地局６Ｓ１〜６Ｓｋと内線移動端末ＰＳ２１〜ＰＳ２ｋとの無線通信範囲である他局ゾーンＺ２を備える。
【００２８】
内線移動端末ＰＳ１１〜ＰＳ１ｎ，ＰＳａおよび内線移動端末ＰＳ２１〜ＰＳ２ｋ，ＰＳｂは、それぞれ同一機種または異なる機種の移動端末、例えばＰＨＳ電話機や携帯電話機で構成する。
【００２９】
内線移動端末ＰＳａは、自局の構内交換機２から他局の構内交換機５にローミング中であり、内線移動端末ＰＳｂは、他局の構内交換機５から自局の構内交換機２にローミング中であることを表わす。
【００３０】
文字メッセージ・ゲートウェイ３とＩＳＤＮ回線Ｌｓを介して接続する構内交換機２は、内線移動端末ＰＳ１１〜ＰＳ１ｎ，ＰＳａの「送信先内線番号」毎に「文字メッセージ通信仕様」を管理する文字メッセージ・ゲートウェイ３と連携し、送信先内線移動端末ＰＳ１１〜ＰＳ１ｎ，ＰＳａが同一機種はもちろん、異機種であっても、文字メッセージ・ゲートウェイ３から受信した「文字メッセージ通信仕様」に基づいた「呼設定情報」を全無線基地局４Ｓ１〜４Ｓｎに送信することによって文字メッセージ・ゲートウェイ３を介して内線移動端末ＰＳ１１〜ＰＳ１ｎ，ＰＳａ相互間を接続し、内線移動端末ＰＳ１１〜ＰＳ１ｎ，ＰＳａ間の構内文字メッセージ通信を実行する。
【００３１】
また、構内交換機２は、送信先内線移動端末ＰＳ２１〜ＰＳ２ｋ，ＰＳｂがディジタル中継線網ＮＴに接続された他局の構内交換機５に位置登録されている状態で、内局データの「文字メッセージ透過条件」が「透過可」の場合には、文字メッセージ・ゲートウェイ３から受信した「呼設定情報」をそのまま他局の構内交換機５に送信する。
【００３２】
構内交換機２から送信されてくる「呼設定情報」を受信した構内交換機５は、受信した「呼設定情報」を全無線基地局６Ｓ１〜６Ｓｋに送信することにより、送信先内線移動端末ＰＳ２１〜ＰＳ２ｋ，ＰＳｂと文字メッセージ・ゲートウェイ３とを接続し、文字メッセージを他局の構内交換機５に位置登録した送信先内線移動端末ＰＳ２１〜ＰＳ２ｋ，ＰＳｂに送信することができる。
【００３３】
さらに、構内交換機２は、自局の送信先内線移動端末ＰＳａが他局へローミング中の状態で、内局データの「文字メッセージ透過条件」が「透過可」の場合には、文字メッセージ・ゲートウェイ３から受信した「呼設定情報」をそのまま他局の構内交換機５に送信することができる。
【００３４】
構内交換機２から送信されてくる「呼設定情報」を受信した構内交換機５は、受信した「呼設定情報」を全無線基地局６Ｓ１〜６Ｓｋに送信することにより、ローミング中の内線移動端末ＰＳａと文字メッセージ・ゲートウェイ３を接続し、文字メッセージを他局にローミング中の内線移動端末ＰＳａに送信することができる。
【００３５】
また、構内交換機２は、送信先内線移動端末ＰＳｂが他局より移動してきているローミング中の場合、文字メッセージ・ゲートウェイ３から受信した「呼設定情報」を自局の無線基地局４Ｓ１〜４Ｓｎに送信する。
【００３６】
構内交換機２は、他局より移動してきているローミング中の送信先内線移動端末ＰＳｂに対する「呼設定情報」を自局の全無線基地局４Ｓ１〜４Ｓｎに送信することにより、他局に属する送信先内線移動端末ＰＳｂを自局の内線移動端末と同様に扱うことができ、ローミング中の送信先内線移動端末ＰＳｂと文字メッセージ・ゲートウェイ３を接続し、文字メッセージを他局より移動してきているローミング中の内線移動端末ＰＳｂに送信することができる。
【００３７】
このように、この発明に係る構内交換機２は、内線移動端末ＰＳ１１〜ＰＳ１ｎ，ＰＳａの「送信先内線番号」毎に「文字メッセージ通信仕様」を管理する文字メッセージ・ゲートウェイ３と連携し、送信先内線移動端末ＰＳ１１〜ＰＳ１ｎ，ＰＳａが異機種でも、文字メッセージ・ゲートウェイ３から受信した「呼設定情報」を全無線基地局４Ｓ１〜４Ｓｎに送信し、文字メッセージ・ゲートウェイ３を介して内線移動端末ＰＳ１１〜ＰＳ１ｎ，ＰＳａ相互間を接続するので、送信先内線移動端末ＰＳ１１〜ＰＳ１ｎ，ＰＳａと一致する「文字メッセージ通信仕様」の「呼設定情報」で送信先内線移動端末ＰＳ１１〜ＰＳ１ｎ，ＰＳａと接続し、異なる機種の内線移動端末相互間で文字メッセージの送受信を実行することができ、利便性の向上ならびにシステムの拡張性を実現することができる。
【００３８】
また、この発明に係る構内交換機２は、送信先内線移動端末ＰＳ２１〜ＰＳ２ｋ，ＰＳｂがディジタル中継線網ＮＴに接続された他局の構内交換機５に位置登録されている状態で、内局データの「文字メッセージ透過条件」が「透過可」の場合には、文字メッセージ・ゲートウェイ３から受信した「呼設定情報」をそのまま他局の構内交換機５に送信するので、他局の構内交換機５の内線移動端末ＰＳ２１〜ＰＳ２ｋ，ＰＳｂに文字メッセージを送信することができ、システムの拡張を図ることができる。
【００３９】
さらに、この発明に係る構内交換機２は、送信先内線移動端末ＰＳａが他局へローミング中の状態で、内局データの「文字メッセージ透過条件」が「透過可」の場合には、文字メッセージ・ゲートウェイ３から受信した「呼設定情報」をそのまま他局の構内交換機５に送信するので、自局の内線移動端末ＰＳａが他局に移動しても文字メッセージを送信することができ、他局の構内交換機５を中継して文字メッセージの送信範囲を広げることができる。
【００４０】
また、この発明に係る構内交換機２は、送信先内線移動端末ＰＳｂが他局より移動してきているローミング中の場合、文字メッセージ・ゲートウェイ３から受信した「呼設定情報」を全無線基地局４Ｓ１〜４Ｓｎに送信するので、他局に属する内線無線端末ＰＳｂを自局に属する内線無線端末として文字メッセージを送信することができ、使い勝手の良さをアピールすることができる。
【００４１】
図２はこの発明に係る構内交換機の一実施の形態要部ブロック構成図である。図２において、構内交換機２は、通話路スイッチ７、無線基地局インタフェース８Ｆ１〜８Ｆｎ、ＩＳＤＮインタフェース９、ディジタル専用線インタフェース１０、制御装置１１、記憶装置１２、内部バスＢＵＳを備える。なお、通話路スイッチ７、制御装置１１および記憶装置１２は、内部バスＢＵＳを介して接続する。
【００４２】
通話路スイッチ７は、マトリクススイッチで構成し、制御装置１１の制御により、スイッチをオンまたはオフ状態にして通話路ｌａ、ｌｂ、ｌｔ１〜ｌｔｎ相互間を接続／切断する。
【００４３】
無線基地局インタフェース８Ｆ１〜８Ｆｎは、内線Ｌ１１〜Ｌ１ｎを介して無線基地局４Ｓ１〜４Ｓｎと接続し、文字メッセージ・ゲートウェイ３からの「呼設定情報」を無線基地局４Ｓ１〜４Ｓｎに送信し、無線基地局４Ｓ１〜４Ｓｎから該当する内線移動端末ＰＳ１１〜ＰＳ１ｎ，ＰＳａを呼び出す。
【００４４】
また、無線基地局インタフェース８Ｆ１〜８Ｆｎは、内線移動端末ＰＳ１１〜ＰＳ１ｎ，ＰＳａから「呼設定情報」に対する「呼設定受付情報」を無線基地局４Ｓ１〜４Ｓｎを介して受信し、制御装置１１に通知することにより、内線移動端末ＰＳ１１〜ＰＳ１ｎ，ＰＳａと文字メッセージ・ゲートウェイ３との文字メッセージの通信が開始される。
【００４５】
ＩＳＤＮインタフェース９は、ＩＳＤＮ回線Ｌｓと構内交換機２とのインタフェース機能を備え、ＩＳＤＮ回線Ｌｓを介して文字メッセージ・ゲートウェイ３を接続する。
【００４６】
ディジタル専用線インタフェース１０は、ディジタル中継線網ＮＴとのインタフェース機能を備え、ディジタル専用線ＬＤ１を介してディジタル中継線網ＮＴと接続し、同様にディジタル専用線ＬＤ２を介してディジタル中継線網ＮＴに接続された他局の構内交換機５と接続し、他局の構内交換機５に「呼設定情報」を送信することにより、他局の内線移動端末ＰＳ２１〜ＰＳ２ｋ，ＰＳｂと文字メッセージ・ゲートウェイ３とを接続して文字メッセージ通信が開始される。
【００４７】
制御装置１１は、マイクロプロセッサを基本に各種処理機能、演算機能等の制御機能を備え、文字メッセージ・ゲートウェイ３からの文字メッセージを意味する「呼設定情報」を受信すると、「呼設定情報」内の「着番号情報要素」に示される「移動端末番号」対応の「内線番号」によって内線移動端末ＰＳ１１〜ＰＳ１ｎ，ＰＳａがどこに位置登録されているか確認する。
【００４８】
また、制御装置１１は、内線移動端末ＰＳ１１〜ＰＳ１ｎ，ＰＳａが文字メッセージ・ゲートウェイ３を接続している構内交換機２に位置登録している場合、文字メッセージ・ゲートウェイ３から受信した「呼設定情報」を全無線基地局４Ｓ１〜４Ｓｎにそのまま送信する。
【００４９】
さらに、制御装置１１は、文字メッセージ・ゲートウェイ３から受信した「呼設定情報」内の「着番号情報要素」に示される「移動端末番号」（内線移動端末ＰＳａ）が他局の構内交換機５へローミング中の状態で、構内交換機２の局データである「文字メッセージ透過条件」が「透過可」の場合、文字メッセージ・ゲートウェイ３から受信した「呼設定情報」をそのままディジタル専用線ＬＤ１→ディジタル中継線網ＮＴ→ディジタル専用線ＬＤ２を介して構内交換機５に送信する。
【００５０】
また、制御装置１１は、文字メッセージ・ゲートウェイ３から受信した「呼設定情報」内の「着番号情報要素」に示される「移動端末番号」（内線移動端末ＰＳｂ）が他局から移動してくるローミング中の場合、構内交換機２の内線移動端末ＰＳ１１〜ＰＳ１ｎと同様に認識し、文字メッセージ・ゲートウェイ３から受信した「呼設定情報」を全無線基地局４Ｓ１〜４Ｓｎに送信する。
【００５１】
さらに、制御装置１１は、文字メッセージ・ゲートウェイ３から受信した「呼設定情報」内の「着番号情報要素」に示される「移動端末番号」が他局の内線移動端末ＰＳ２１〜ＰＳ２ｋの場合で、構内交換機２の局データである「文字メッセージ透過条件」が「透過可」の場合、文字メッセージ・ゲートウェイ３から受信した「呼設定情報」をそのままディジタル専用線ＬＤ１→ディジタル中継線網ＮＴ→ディジタル専用線ＬＤ２を介して構内交換機５に送信する。
【００５２】
記憶装置１２は、ＲＯＭ等の固定メモリやＲＡＭ等の書替え可能なメモリで構成し、内線移動端末ＰＳ１１〜ＰＳ１ｎ，ＰＳａ、内線移動端末ＰＳ２１〜ＰＳ２ｋ，ＰＳｂ毎に「移動端末番号」を格納する。
【００５３】
また、記憶装置１２は、自局の内線移動端末ＰＳ１１〜ＰＳ１ｎ、ディジタル中継線網ＮＴを介して接続された他局の内線移動端末ＰＳ２１〜ＰＳ２ｋ、他局の構内交換機５へ移動しているローミング中の内線移動端末ＰＳａまたは自局の構内交換機２に移動してきているローミング中の内線移動端末ＰＳｂを識別する「移動端末識別情報」を記憶する。
【００５４】
さらに、記憶装置１２は、内線移動端末ＰＳ１１〜ＰＳ１ｎ，ｐＳａ、内線移動端末ＰＳ２１〜ＰＳ２ｋ，ＰＳｂがどの無線基地局４Ｓ１〜４Ｓｎ、無線基地局６Ｓ１〜６Ｓｋに位置登録しているかを表わす「位置登録情報」を記憶する。
【００５５】
また、記憶装置１２は、構内交換機２の内局データとして「文字メッセージ透過条件」（透過可／透過不可）を記憶する。
【００５６】
このように、この発明に係る構内交換機２は、無線基地局４Ｓ１〜４Ｓｎと接続する無線基地局インタフェース８Ｆ１〜８Ｆｎ、文字メッセージ・ゲートウェイ３と接続するＩＳＤＮインタフェース９、他局の構内交換機５とディジタル中継網ＮＴを介して接続するディジタル専用線インタフェース１０、内線移動端末毎の移動端末番号、移動端末識別情報、位置登録情報、自構内交換機２の内局データを記憶する記憶装置１２、通話路を形成する通話路スイッチ７、構内交換機２全体の動作を制御する制御装置１１を備えたので、文字メッセージ・ゲートウェイ３と連携して呼設定情報で自局内および他局の同一機種または異なる機種の送信先内線移動端末ＰＳ１１〜ＰＳ１ｎ，ＰＳａ、ＰＳ２１〜ＰＳ２ｋ，ＰＳｂに接続し、文字メッセージサービスを提供することができ、利便性の向上を図ることができる。
【００５７】
文字メッセージ・ゲートウェイ３は、マイクロプロセッサを基本に各種処理機能、制御機能、メモリ等で構成し、構内交換機２と連携し、「移動端末番号」毎に文字メッセージ通信を実行する「文字メッセージ通信仕様」を記憶し、どのような「文字メッセージ通信仕様」で文字メッセージを送信するかを管理し、「呼設定情報」の内容を編集し、「呼設定情報」を構内交換機２に送信する。
【００５８】
また、文字メッセージ・ゲートウェイ３は、文字メッセージ送信の失敗時の送信リトライ回数、送信リトライ間隔、文字メッセージ送信移動端末グループ等の管理を実行する。
【００５９】
図３はこの発明に係る文字メッセージ・ゲートウェイの一実施の形態要部ブロック構成図である。図３において、文字メッセージ・ゲートウェイ３は、マイクロプロセッサを基本に各種処理機能、メモリ等で構成し、ＩＳＤＮインタフェース１３、送信管理手段１４、文字メッセージ制御手段１５、文字メッセージ記憶手段１６を備える。なお、送信管理手段１４、文字メッセージ制御手段１５および文字メッセージ記憶手段１６は、制御バスＢＡを介して接続する。
【００６０】
ＩＳＤＮインタフェース１３は、ＩＳＤＮ回線Ｌｓと文字メッセージ・ゲートウェイ３とのインタフェース機能を備え、ＩＳＤＮ回線Ｌｓを介して構内交換機２を接続する。
【００６１】
送信管理手段１４は、文字メッセージ制御手段１５の制御により、文字メッセージ記憶手段１６に格納されている「移動端末番号」毎に文字メッセージ通信を実行する「文字メッセージ通信仕様」の内容を編集して「呼設定情報」を生成し、「呼設定情報」をＩＳＤＮインタフェース１３を介して構内交換機２に送信する。
【００６２】
また、送信管理手段１４は、「呼設定情報」の送信に失敗した場合の送信リトライ回数、送信リトライ間隔、文字メッセージ送信移動端末グループ、通信ログ（送信日時、送信内容、送信リトライ状況等）を管理し、「呼設定情報」の送信を実行する。
【００６３】
さらに、送信管理手段１４は、構内交換機２が送信先内線移動端末から「呼設定情報」に対する「呼設定受付情報」を受信して送信先内線移動端末と文字メッセージ・ゲートウェイ３を接続すると、文字メッセージ通信を開始する。
【００６４】
文字メッセージ制御手段１５は、制御バスＢＡを介して送信管理手段１４および文字メッセージ記憶手段１６の動作を制御する。
【００６５】
文字メッセージ制御手段１５は、送信管理手段１４が「移動端末番号」毎に「文字メッセージ通信仕様」の内容を編集して「呼設定情報」を生成し、「呼設定情報」を送信する制御を実行する。
【００６６】
また、文字メッセージ制御手段１５は、送信管理手段１４が「呼設定情報」の送信に失敗時の送信リトライ回数、送信リトライ間隔、文字メッセージ送信移動端末グループ、通信ログ（送信日時、送信内容、送信リトライ状況等）の管理する制御を実行する。
【００６７】
文字メッセージ記憶手段１６は、ＲＯＭ等の固定メモリやＲＡＭ等の書替え可能なメモリで構成し、「移動端末番号」毎に「文字メッセージ通信仕様」を格納する。
【００６８】
また、文字メッセージ記憶手段１６は、送信リトライ回数、送信リトライ間隔、送信グループデータ、通信ログデータ等を格納する。
【００６９】
このように、この発明に係る文字メッセージ・ゲートウェイ３は、内線移動端末ＰＳ１１〜ＰＳ１ｎ，ＰＳａ、内線移動端末ＰＳ２１〜ＰＳ２ｋ，ＰＳｂに対応した文字メッセージ通信仕様を記憶する文字メッセージ記憶手段１６、文字メッセージ記憶手段１６に記憶された文字メッセージ通信仕様に基づいて呼設定情報を編集し、送信する送信管理手段１４、ゲートウェイ全体の動作を制御する文字メッセージ制御手段１５を備えたので、送信先内線移動端末に対応した文字メッセージ通信仕様に基づいた呼設定情報を送信することにより、送信元内線移動端末と送信先内線移動端末を結びつけることができ、同一機種または異なる機種相互の内線移動端末を接続して文字メッセージ通信を実行することができる。
【００７０】
内線移動端末ＰＳ１１〜ＰＳ１ｎ，ＰＳａおよび内線移動端末ＰＳ２１〜ＰＳ２ｋ，ＰＳｂは、各種文字メッセージを受信することができるが、内線移動端末が音声系の各種転送系サービス、例えば可変不在転送、話中／不応答転送、話中転送、不応答転送、内線代表等を設定中であっても、該当する内線移動端末が空き状態であれば、文字メッセージを優先して着信させる。
【００７１】
文字メッセージの優先着信は、１対１あるいはｎ対１のサービスであり、他の内線移動端末への転送は、利用者のプライバシー侵害の虞もあることから、音声系の転送系サービスであっても、文字メッセージの着信を実行する。
【００７２】
また、内線移動端末ＰＳ１１〜ＰＳ１ｎ，ＰＳａおよび内線移動端末ＰＳ２１〜ＰＳ２ｋ，ＰＳｂは、音声系の着信拒否、不在案内等のサービスが設定中であっても、文字メッセージの着信を優先して着信させる。
【００７３】
このように、この発明に係る内線移動端末ＰＳ１１〜ＰＳ１ｎ，ＰＳａおよび内線移動端末ＰＳ２１〜ＰＳ２ｋ，ＰＳｂは、音声系の転送が設定されている状態あるいは音声系の着信拒否、不在案内等の各種拒否が設定されている状態でも、文字メッセージが着信した場合には、文字メッセージを受信するので、文字メセージの性格から内線移動端末の利用者のプライバシーを保護することができ、利便性ならびに守秘性をアピールすることができる。
【００７４】
さらに、内線移動端末ＰＳ１１〜ＰＳ１ｎ，ＰＳａおよび内線移動端末ＰＳ２１〜ＰＳ２ｋ，ＰＳｂは、音声系の代理応答グループのサービスが設定中であっても、内線移動端末利用者のプライバシー保護の観点から、文字メッセージの代理応答を禁止する。
【００７５】
このように、この発明に係る内線移動端末ＰＳ１１〜ＰＳ１ｎ，ＰＳａおよび内線移動端末ＰＳ２１〜ＰＳ２ｋ，ＰＳｂは、代理応答が設定されている状態でも、文字メッセージが着信した場合には、他の内線移動端末による文字メッセージの代理応答を禁止するので、内線移動端末の利用者のプライバシーを保護することができ、利便性ならびに守秘性をアピールすることができる。
【００７６】
【発明の効果】
以上説明したように、この発明に係る構内文字メッセージシステムは、文字メッセージ通信機能を有する内線移動端末と、内線移動端末と無線接続する無線基地局と、構内交換機と、文字メッセージ・ゲートウェイとを備えた構内文字メッセージシステムであって、構内交換機は、内線移動端末の送信先内線番号毎に文字メッセージ通信仕様を管理する文字メッセージ・ゲートウェイと連携し、送信先内線移動端末が異機種でも、文字メッセージ・ゲートウェイから受信した呼設定情報を全無線基地局に送信し、文字メッセージ・ゲートウェイを介して内線移動端末相互間を接続するので、送信先内線移動端末と一致する文字メッセージ通信仕様の呼設定情報で送信先内線移動端末と接続し、異なる機種の内線移動端末相互間で文字メッセージの送受信を実行することができ、利便性の向上ならびにシステムの拡張性を実現することができる。
【００７７】
また、この発明に係る構内交換機は、無線基地局と接続する無線基地局インタフェース、文字メッセージ・ゲートウェイと接続するＩＳＤＮインタフェース、他局の構内交換機とディジタル中継網を介して接続するディジタル専用線インタフェース、内線移動端末毎の移動端末番号、移動端末識別情報、位置登録情報、自構内交換機の内局データを記憶する記憶装置、通話路を形成する通話路スイッチ、構内交換機全体の動作を制御する制御装置を備えたので、文字メッセージ・ゲートウェイと連携して呼設定情報で自局内および他局の同一機種または異なる機種の送信先内線形態端末に接続し、文字メッセージサービスを提供することができ、利便性の向上を図ることができる。
【００７８】
さらに、この発明に係る文字メッセージ・ゲートウェイは、内線移動端末に対応した文字メッセージ通信仕様を記憶する文字メッセージ記憶手段、文字メッセージ記憶手段に記憶された文字メッセージ通信仕様に基づいて呼設定情報を編集し、送信する送信管理手段、ゲートウェイ全体の動作を制御する文字メッセージ制御手段を備えたので、送信先内線移動端末に対応した文字メッセージ通信仕様に基づいた呼設定情報を送信することにより、送信元内線移動端末と送信先内線移動端末を結びつけることができ、同一機種または異なる機種相互の内線移動端末を接続して文字メッセージ通信を実行することができる。
【００７９】
また、この発明に係る構内交換機は、送信先内線移動端末がディジタル中継線網に接続された他局の構内交換機に位置登録されている状態で、内局データの文字メッセージ透過条件が透過可の場合には、文字メッセージ・ゲートウェイから受信した呼設定情報をそのまま他局の構内交換機に送信するので、他局の構内交換機の内線移動端末に文字メッセージを送信することができ、システムの拡張を図ることができる。
【００８０】
さらに、この発明に係る構内交換機は、送信先内線移動端末が他局へローミング中の状態で、内局データの文字メッセージ透過条件が透過可の場合には、文字メッセージ・ゲートウェイから受信した呼設定情報をそのまま他局の構内交換機に送信するので、自局の内線移動端末が他局に移動しても文字メッセージを送信することができ、他局の構内交換機を中継して文字メッセージの送信範囲を広げることができる。
【００８１】
また、この発明に係る構内交換機は、送信先内線移動端末が他局より移動してきているローミング中の場合、文字メッセージ・ゲートウェイから受信した呼設定情報を全無線基地局に送信するので、他局に属する内線無線端末を自局に属する内線無線端末として文字メッセージを送信することができ、使い勝手の良さをアピールすることができる。
【００８２】
さらに、この発明に係る内線移動端末は、音声系の転送が設定されている状態あるいは音声系の着信拒否、不在案内等の各種拒否が設定されている状態でも、文字メッセージが着信した場合には、文字メッセージを受信するので、文字メセージの性格から内線移動端末の利用者のプライバシーを保護することができ、利便性ならびに守秘性をアピールすることができる。
【００８３】
また、この発明に係る内線移動端末は、代理応答が設定されている状態でも、文字メッセージが着信した場合には、他の内線移動端末による文字メッセージの代理応答を禁止するので、内線移動端末の利用者のプライバシーを保護することができ、利便性ならびに守秘性をアピールすることができる。
【図面の簡単な説明】
【図１】この発明に係る構内文字メッセージシステムの一実施の形態ブロック構成図
【図２】この発明に係る構内交換機の一実施の形態要部ブロック構成図
【図３】この発明に係る文字メッセージ・ゲートウェイの一実施の形態要部ブロック構成図
【符号の説明】
１  構内文字メッセージシステム
２，５  構内交換機
３  文字メッセージ・ゲートウェイ
４Ｓ１〜４Ｓｎ，６Ｓ１〜６Ｓｋ  無線基地局
７  通話路スイッチ
８Ｆ１〜８Ｆｎ  無線基地局インタフェース
９，１３  ＩＳＤＮインタフェース
１０  ディジタル専用線インタフェース
１１  制御装置
１２  記憶装置
１４  送信管理手段
１５  文字メッセージ制御手段
１６  文字メッセージ記憶手段
ＢＵＳ  内部バス
ＢＡ  制御バス
ＮＴ  ディジタル中継線網
ＰＳ１１〜ＰＳ１ｎ，ＰＳ２１〜ＰＳ２ｋ  内線移動端末
Ｌｓ  ＩＳＤＮ回線
Ｌ１１〜Ｌ１ｎ，Ｌ２１〜Ｌ２ｋ  内線
ＬＤ１，ＬＤ２  ディジタル専用線
【図１】
2004312415.tif 000003
【図２】
2004312415.tif 000004
【図３】
2004312415.tif 000005